【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
ユーザの操作に応答して、画像処理の対象となる画像を選択し、前記画像処理のパラメータを設定し、前記設定されたパラメータを用いて前記選択された画像の画像処理を実行する画像処理装置であって、
実行済みの画像処理の対象となった画像および前記画像処理で設定されたパラメータを含む操作履歴情報を記憶する記憶手段と、
前記操作履歴情報に基づいて、画像処理の対象となる画像と前記画像処理のパラメータを予測する予測手段と、
前記予測されたパラメータを用いて前記予測された画像の画像処理を実行し、中間処理結果を生成する生成手段と、
前記中間処理結果をキャッシュするキャッシュ手段と、
前記ユーザの操作に応答して、選択された画像および設定されたパラメータと対応する中間処理結果がキャッシュされているか否か判定する判定手段と、
前記判定の結果、前記中間処理結果がキャッシュされている時、前記中間処理結果を表示用データに変換する変換手段と、
前記表示用データをウィンドウに表示する表示手段とを
備えたことを特徴とする画像処理装置。
【請求項２】
前記予測手段は、前記記憶手段に記憶された操作履歴情報が更新された時に前記予測を行うことを特徴とする請求項１に記載の画像処理装置。
【請求項３】
前記予測手段は、類似した画像の操作履歴情報に基づいて前記予測を行うことを特徴とする請求項１または２に記載の画像処理装置。
【請求項４】
ユーザの操作に応答して、画像処理の対象となる画像を選択し、前記画像処理のパラメータを設定し、前記設定されたパラメータを用いて前記選択された画像の画像処理を実行する画像処理装置の制御方法であって、
実行済みの画像処理の対象となった画像および前記画像処理で設定されたパラメータを含む操作履歴情報を記憶するステップと、
前記操作履歴情報に基づいて、画像処理の対象となる画像と前記画像処理のパラメータを予測するステップと、
前記予測されたパラメータを用いて前記予測された画像の画像処理を実行し、中間処理結果を生成するステップと、
前記中間処理結果をキャッシュするステップと、
前記ユーザの操作に応答して、選択された画像および設定されたパラメータと対応する中間処理結果がキャッシュされているか否か判定するステップと、
前記判定の結果、前記中間処理結果がキャッシュされている時、前記中間処理結果を表示用データに変換するステップと、
前記表示用データをウィンドウに表示するステップとを
備えたことを特徴とする画像処理装置の制御方法。
【請求項５】
ユーザの操作に応答して、画像処理の対象となる画像を選択し、前記画像処理のパラメータを設定し、前記設定されたパラメータを用いて前記選択された画像の画像処理を実行する画像処理装置を実現するコンピュータに、
実行済みの画像処理の対象となった画像および前記画像処理で設定されたパラメータを含む操作履歴情報を記憶するステップと、
前記操作履歴情報に基づいて、画像処理の対象となる画像と前記画像処理のパラメータを予測するステップと、
前記予測されたパラメータを用いて前記予測された画像の画像処理を実行し、中間処理結果を生成するステップと、
前記中間処理結果をキャッシュするステップと、
前記ユーザの操作に応答して、選択された画像および設定されたパラメータと対応する中間処理結果がキャッシュされているか否か判定するステップと、
前記判定の結果、前記中間処理結果がキャッシュされている時、前記中間処理結果を表示用データに変換するステップと、
前記表示用データをウィンドウに表示するステップとを
実行させることを特徴とするプログラム。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】００１２
【補正方法】変更
【補正の内容】
【００１２】
本発明の画像処理装置は、ユーザの操作に応答して、画像処理の対象となる画像を選択し、前記画像処理のパラメータを設定し、前記設定されたパラメータを用いて前記選択された画像の画像処理を実行する画像処理装置であって、実行済みの画像処理の対象となった画像および前記画像処理で設定されたパラメータを含む操作履歴情報を記憶する記憶手段と、前記操作履歴情報に基づいて、画像処理の対象となる画像と前記画像処理のパラメータを予測する予測手段と、前記予測されたパラメータを用いて前記予測された画像の画像処理を実行し、中間処理結果を生成する生成手段と、前記中間処理結果をキャッシュするキャッシュ手段と、前記ユーザの操作に応答して、選択された画像および設定されたパラメータと対応する中間処理結果がキャッシュされているか否か判定する判定手段と、前記判定の結果、前記中間処理結果がキャッシュされている時、前記中間処理結果を表示用データに変換する変換手段と、前記表示用データをウィンドウに表示する表示手段とを
備えたことを特徴とする。
【手続補正４】
【補正対象書類名】明細書
【補正対象項目名】００１３
【補正方法】変更
【補正の内容】
【００１３】
本発明の画像処理装置の制御方法は、ユーザの操作に応答して、画像処理の対象となる画像を選択し、前記画像処理のパラメータを設定し、前記設定されたパラメータを用いて前記選択された画像の画像処理を実行する画像処理装置の制御方法であって、実行済みの画像処理の対象となった画像および前記画像処理で設定されたパラメータを含む操作履歴情報を記憶するステップと、前記操作履歴情報に基づいて、画像処理の対象となる画像と前記画像処理のパラメータを予測するステップと、前記予測されたパラメータを用いて前記予測された画像の画像処理を実行し、中間処理結果を生成するステップと、前記中間処理結果をキャッシュするステップと、前記ユーザの操作に応答して、選択された画像および設定されたパラメータと対応する中間処理結果がキャッシュされているか否か判定するステップと、前記判定の結果、前記中間処理結果がキャッシュされている時、前記中間処理結果を表示用データに変換するステップと、前記表示用データをウィンドウに表示するステップとを備えたことを特徴とする。
【手続補正５】
【補正対象書類名】明細書
【補正対象項目名】００１４
【補正方法】変更
【補正の内容】
【００１４】
本発明のプログラムは、ユーザの操作に応答して、画像処理の対象となる画像を選択し、前記画像処理のパラメータを設定し、前記設定されたパラメータを用いて前記選択された画像の画像処理を実行する画像処理装置を実現するコンピュータに、実行済みの画像処理の対象となった画像および前記画像処理で設定されたパラメータを含む操作履歴情報を記憶するステップと、前記操作履歴情報に基づいて、画像処理の対象となる画像と前記画像処理のパラメータを予測するステップと、前記予測されたパラメータを用いて前記予測された画像の画像処理を実行し、中間処理結果を生成するステップと、前記中間処理結果をキャッシュするステップと、前記ユーザの操作に応答して、選択された画像および設定されたパラメータと対応する中間処理結果がキャッシュされているか否か判定するステップと、前記判定の結果、前記中間処理結果がキャッシュされている時、前記中間処理結果を表示用データに変換するステップと、前記表示用データをウィンドウに表示するステップとを実行させることを特徴とする。